(57)【特許請求の範囲】
【請求項１】
ネットワークを介して外部機器と通信可能な画像形成装置であって、
動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、
前記選択手段により他の画像形成装置を選択するにあたり、選択対象となる他の画像形成装置の検索用のネットワークアドレスを指定可能にすることを特徴とする画像形成装置。
【請求項２】
ネットワークを介して外部機器と通信可能な画像形成装置であって、
動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、
前記選択手段により他の画像形成装置を選択するにあたり、選択対象となる他の画像形成装置の検索用のネットワークアドレスの範囲を指定可能にし、通信が確立した他の画像形成装置の一覧表示を操作手段に実行させる、ことを特徴とする画像形成装置。
【請求項３】
ネットワークを介して外部機器と通信可能な画像形成装置であって、
動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする画像形成装置。
【請求項４】
ネットワークを介して外部機器と通信可能な画像形成装置であって、
動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする画像形成装置。
【請求項５】
ネットワークを介して外部機器と通信可能な画像形成装置であって、
動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、
前記選択手段により他の画像形成装置を選択するにあたり、選択対象となる他の画像形成装置の検索用のネットワークアドレスを指定可能にすることを特徴とする画像形成装置。
【請求項６】
ネットワークを介して外部機器と通信可能な画像形成装置であって、
動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、
前記選択手段により他の画像形成装置を選択するにあたり、選択対象となる他の画像形成装置の検索用のネットワークアドレスの範囲を指定可能にし、通信が確立した他の画像形成装置の一覧表示を前記操作手段に実行させる、ことを特徴とする画像形成装置。
【請求項７】
ネットワークを介して外部機器と通信可能な画像形成装置であって、
動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする画像形成装置。
【請求項８】
ネットワークを介して外部機器と通信可能な画像形成装置であって、
動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする画像形成装置。
【請求項９】
前記動作モードは、操作に伴う入力音及び警告音の少なくとも何れかを含むブザー音に関わる動作モードを含むことを特徴とする請求項１乃至８の何れかに記載の画像形成装置。
【請求項１０】
前記動作モードは、用紙カセットの選択及び同じサイズの用紙カセットから自動給紙を行うカセットオート選択の少なくとも何れかを含む用紙カセットの選択に関わる動作モードを含むことを特徴とする請求項１乃至９の何れかに記載の画像形成装置。
【請求項１１】
前記動作モードは、コピー機能及びプリント機能及びファクシミリ機能の少なくとも何れかを含む前記画像形成装置が具備する機能の動作優先順位モードを含むことを特徴とする請求項１乃至１０の何れかに記載の画像形成装置。
【請求項１２】
前記動作モードは、画像形成紙を反転して排出する裏面排紙に関わる動作モードを含むことを特徴とする請求項１乃至１１の何れかに記載の画像形成装置。
【請求項１３】
前記動作モードは、自動濃度調整モードを含むことを特徴とする請求項１乃至１２の何れかに記載の画像形成装置。
【請求項１４】
前記動作モードは、コピー枚数及び倍率の少なくとも何れかを含むコピーモードを含むことを特徴とする請求項１乃至１３の何れかに記載の画像形成装置。
【請求項１５】
ネットワークを介して外部機器と通信可能な画像形成装置であって、
データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、
前記選択手段により他の画像形成装置を選択するにあたり、選択対象となる他の画像形成装置の検索用のネットワークアドレスを指定可能にすることを特徴とする画像形成装置。
【請求項１６】
ネットワークを介して外部機器と通信可能な画像形成装置であって、
データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、
前記選択手段により他の画像形成装置を選択するにあたり、選択対象となる他の画像形成装置の検索用のネットワークアドレスの範囲を指定可能にし、通信が確立した他の画像形成装置の一覧表示を前記操作手段に実行させる、ことを特徴とする画像形成装置。
【請求項１７】
ネットワークを介して外部機器と通信可能な画像形成装置であって、
データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする画像形成装置。
【請求項１８】
ネットワークを介して外部機器と通信可能な画像形成装置であって、
データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、
前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする画像形成装置。
【請求項１９】
前記制御手段は、前記操作手段の操作に基づき前記記憶手段に記憶されている表示モードを変更することを特徴とする請求項１５乃至１８の何れかに記載の画像形成装置。
【請求項２０】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする記憶媒体。
【請求項２１】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を操作手段により実行可能にする、ことを特徴とする記憶媒体。
【請求項２２】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする記憶媒体。
【請求項２３】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする記憶媒体。
【請求項２４】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする記憶媒体。
【請求項２５】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を前記操作手段により実行可能にする、ことを特徴とする記憶媒体。
【請求項２６】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする記憶媒体。
【請求項２７】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする記憶媒体。
【請求項２８】
前記動作モードは、操作に伴う入力音及び警告音の少なくとも何れかを含むブザー音に関わる動作モード、及び、用紙カセットの選択及び同じサイズの用紙カセットから自動給紙を行うカセットオート選択の少なくとも何れかを含む用紙カセットの選択に関わる動作モード、及び、コピー機能及びプリント機能及びファクシミリ機能の少なくとも何れかを含む前記画像形成装置が具備する機能の動作優先順位モード、及び、画像形成紙を反転して排出する裏面排紙に関わる動作モード、及び、自動濃度調整モード、及び、コピー枚数及び倍率の少なくとも何れかを含むコピーモード、のうちの、少なくとも何れかを含むことを特徴とする請求項１５乃至２７の何れかに記載の記憶媒体。
【請求項２９】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする記憶媒体。
【請求項３０】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を前記操作手段により実行可能にする、ことを特徴とする記憶媒体。
【請求項３１】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする記憶媒体。
【請求項３２】
ネットワークを介して外部機器と通信可能な画像形成装置に適用される使用環境制御方法を実行する為のプログラムを記憶したコンピュータにより読み出し可能な記憶媒体であって、
前記使用環境制御方法は、
前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする記憶媒体。
【請求項３３】
前記使用環境制御方法は、前記操作手段の操作に基づき前記記憶手段に記憶されている表示モードを変更可能にする、ことを特徴とする請求項２９乃至３２の何れかに記載の記憶媒体。
【発明の詳細な説明】
【０００１】
【発明の属する技術分野】
本発明は、画像形成装置及び記憶媒体に係り、更に詳しくは、ネットワーク通信機能を備えたデジタル複写機に適用する場合に好適な画像形成装置及び記憶媒体に関する。
【０００２】
【従来の技術】
従来、デジタル複写機を新規に設置してユーザが使用を開始する場合、ユーザが通常デジタル複写機を使用する環境、例えば操作部からの入力音や警告音等のブザー音のＯＮ／ＯＦＦや、用紙カセット毎にカセットオート選択（原稿サイズと倍率に応じて最適な用紙カセットを選んだり、プリント中に用紙カセット内の用紙が無くなったら同じサイズの他の用紙カセットから自動的に給紙する）を指定するか否かなどの動作モードを、操作部から入力、設定し、その後のデジタル複写機の使用環境をユーザが使いやすい状態に保持する、ユーザ使用環境の設定機能が知られている（当該設定機能により設定されるモードを「ユーザモード」とする）。
【０００３】
また、デジタル複写機によるコピー枚数、濃度、倍率など任意のコピーモードの組み合わせをメモリに登録し、後から簡単な操作で、登録したコピーモードを呼び出し、このコピーモードでコピーが実行できる「モードメモリ」の設定機能が知られている。
【０００４】
更に、デジタル複写機の操作部の基本画面（電源ＯＮ直後の画面或いは動作終了後に戻る画面）に表示するキーを選択し登録できる「お好みキー」の設定機能が知られている。これは、タッチパネル操作で画面を段階的に開いて選び出すキー、例えばページ連写のキーをユーザが頻繁に使う場合、お好みキー設定機能によりページ連写のキーを基本画面に置くことができる。そのため、ユーザは次回からは画面を段階的に開いていかなくとも、基本画面にあるページ連写のキーを押下することでページ連写を実行することができる。
【０００５】
一方、ネットワークに接続された複数のクライアントコンピュータからの印刷命令により、印刷を行うデジタル複写機も知られている。
【０００６】
【発明が解決しようとする課題】
しかしながら、上述した従来技術においては下記のような問題があった。即ち、ユーザがデジタル複写機を新規に購入し使用を開始しようとする場合、他の複写機と同じ環境で使用しようとするためには、上記のようなユーザモードの設定、モードメモリの登録、お好みキーの設定など、他の複写機の操作部で設定した入力操作を、同じように行わなければならない。また、デジタル複写機の高機能化に伴い、このような設定項目は数十種類に及ぶ場合も多く、新規にデジタル複写機を購入するたびに、或いは購入したデジタル複写機の台数分、今までに他のデジタル複写機で使用していたユーザの使用環境を、いちいちそれぞれの操作部で数多くの設定項目数分入力しなければならなかった。そのため、他のデジタル複写機と同じ使用環境とするまで、非常に時間を要することとなっていた。
【０００７】
本発明は、上述した点に鑑みなされたものであり、デジタル複写機を新規に設置する際、デジタル複写機をネットワーク接続することにより、ユーザが使用している他の複写機と同じ使用環境とするまでの時間を大幅に短縮可能とした画像形成装置及び記憶媒体を提供することを目的とする。
【０００８】
【課題を解決するための手段】
上記目的を達成するため、請求項１の発明は、ネットワークを介して外部機器と通信可能な画像形成装置であって、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、前記選択手段により他の画像形成装置を選択するにあたり、選択対象となる他の画像形成装置の検索用のネットワークアドレスを指定可能にすることを特徴とする。
【０００９】
上記目的を達成するため、請求項２の発明は、ネットワークを介して外部機器と通信可能な画像形成装置であって、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、前記選択手段により他の画像形成装置を選択するにあたり、選択対象となる他の画像形成装置の検索用のネットワークアドレスの範囲を指定可能にし、通信が確立した他の画像形成装置の一覧表示を操作手段に実行させる、ことを特徴とする。
【００１０】
上記目的を達成するため、請求項３の発明は、ネットワークを介して外部機器と通信可能な画像形成装置であって、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする。
【００１１】
上記目的を達成するため、請求項４の発明は、ネットワークを介して外部機器と通信可能な画像形成装置であって、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させる制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする。
【００１２】
上記目的を達成するため、請求項５の発明は、ネットワークを介して外部機器と通信可能な画像形成装置であって、動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、前記選択手段により他の画像形成装置を選択するにあたり、選択対象となる他の画像形成装置の検索用のネットワークアドレスを指定可能にすることを特徴とする。
【００１３】
上記目的を達成するため、請求項６の発明は、ネットワークを介して外部機器と通信可能な画像形成装置であって、動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、前記選択手段により他の画像形成装置を選択するにあたり、選択対象となる他の画像形成装置の検索用のネットワークアドレスの範囲を指定可能にし、通信が確立した他の画像形成装置の一覧表示を前記操作手段に実行させる、ことを特徴とする。
【００１４】
上記目的を達成するため、請求項７の発明は、ネットワークを介して外部機器と通信可能な画像形成装置であって、動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする。
【００１５】
上記目的を達成するため、請求項８の発明は、ネットワークを介して外部機器と通信可能な画像形成装置であって、動作モードの変更指示が可能な操作手段と、動作モードを記憶する記憶手段と、ネットワーク接続されている他の画像形成装置を選択する選択手段と、選択された他の画像形成装置の動作モードを前記画像形成装置により取得させ前記記憶手段に記憶させ該記憶手段から読み出した動作モードに基づいた動作を前記画像形成装置に実行させ、且つ、前記操作手段の操作に基づき前記記憶手段に記憶されている動作モードを変更する制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする。
【００１６】
上記目的を達成するため、請求項９の発明は、前記動作モードは、操作に伴う入力音及び警告音の少なくとも何れかを含むブザー音に関わる動作モードを含むことを特徴とする。
【００１７】
上記目的を達成するため、請求項１０の発明は、前記動作モードは、用紙カセットの選択及び同じサイズの用紙カセットから自動給紙を行うカセットオート選択の少なくとも何れかを含む用紙カセットの選択に関わる動作モードを含むことを特徴とする。
【００１８】
上記目的を達成するため、請求項１１の発明は、前記動作モードは、コピー機能及びプリント機能及びファクシミリ機能の少なくとも何れかを含む前記画像形成装置が具備する機能の動作優先順位モードを含むことを特徴とする。
【００１９】
上記目的を達成するため、請求項１２の発明は、前記動作モードは、画像形成紙を反転して排出する裏面排紙に関わる動作モードを含むことを特徴とする。
【００２０】
上記目的を達成するため、請求項１３の発明は、前記動作モードは、自動濃度調整モードを含むことを特徴とする。
【００２１】
上記目的を達成するため、請求項１４の発明は、前記動作モードは、コピー枚数及び倍率の少なくとも何れかを含むコピーモードを含むことを特徴とする。
【００２２】
上記目的を達成するため、請求項１５の発明は、ネットワークを介して外部機器と通信可能な画像形成装置であって、データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、前記選択手段により他の画像形成装置を選択するにあたり、選択対象となる他の画像形成装置の検索用のネットワークアドレスを指定可能にすることを特徴とする。
【００２３】
上記目的を達成するため、請求項１６の発明は、ネットワークを介して外部機器と通信可能な画像形成装置であって、データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、前記選択手段により他の画像形成装置を選択するにあたり、選択対象となる他の画像形成装置の検索用のネットワークアドレスの範囲を指定可能にし、通信が確立した他の画像形成装置の一覧表示を前記操作手段に実行させる、ことを特徴とする。
【００２４】
上記目的を達成するため、請求項１７の発明は、ネットワークを介して外部機器と通信可能な画像形成装置であって、データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にすることを特徴とする。
【００２５】
上記目的を達成するため、請求項１８の発明は、ネットワークを介して外部機器と通信可能な画像形成装置であって、データの表示が可能な操作手段と、該操作手段に対する表示モードを記憶する記憶手段と、ネットワーク接続されている他の画像形成装置を選択する選択手段と、選択された他の画像形成装置の表示モードを前記画像形成装置により取得させ前記記憶手段に記憶させ該記憶手段から読み出した表示モードに基づいた表示を前記操作手段に実行させる制御手段と、を有し、前記選択手段により他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にすることを特徴とする。
【００２６】
上記目的を達成するため、請求項１９の発明は、前記制御手段は、前記操作手段の操作に基づき前記記憶手段に記憶されている表示モードを変更することを特徴とする。
【００２７】
上記目的を達成するため、請求項２０の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする。
【００２８】
上記目的を達成するため、請求項２１の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を操作手段により実行可能にする、ことを特徴とする。
【００２９】
上記目的を達成するため、請求項２２の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする。
【００３０】
上記目的を達成するため、請求項２３の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする。
【００３１】
上記目的を達成するため、請求項２４の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする。
【００３２】
上記目的を達成するため、請求項２５の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を前記操作手段により実行可能にする、ことを特徴とする。
【００３３】
上記目的を達成するため、請求項２６の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする。
【００３４】
上記目的を達成するため、請求項２７の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の動作モードを前記画像形成装置が具備する記憶手段に記憶させ、該記憶手段から読み出した動作モードに基づいた動作を前記画像形成装置により実行可能にし、且つ、操作手段の操作に基づき前記記憶手段に記憶されている動作モードを変更可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする。
【００３５】
上記目的を達成するため、請求項２８の発明は、前記動作モードは、操作に伴う入力音及び警告音の少なくとも何れかを含むブザー音に関わる動作モード、及び、用紙カセットの選択及び同じサイズの用紙カセットから自動給紙を行うカセットオート選択の少なくとも何れかを含む用紙カセットの選択に関わる動作モード、及び、コピー機能及びプリント機能及びファクシミリ機能の少なくとも何れかを含む前記画像形成装置が具備する機能の動作優先順位モード、及び、画像形成紙を反転して排出する裏面排紙に関わる動作モード、及び、自動濃度調整モード、及び、コピー枚数及び倍率の少なくとも何れかを含むコピーモード、のうちの、少なくとも何れかを含むことを特徴とする。
【００３６】
上記目的を達成するため、請求項２９の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスを指定可能にする、ことを特徴とする。
【００３７】
上記目的を達成するため、請求項３０の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、通信が確立した他の画像形成装置の一覧表示を前記操作手段により実行可能にする、ことを特徴とする。
【００３８】
上記目的を達成するため、請求項３１の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に属性情報に応じて他の画像形成装置を選択可能にする、ことを特徴とする。
【００３９】
上記目的を達成するため、請求項３２の発明は、ネットワークを介して外部機器と通信可能な画像形成装置に適用される使用環境制御方法を実行する為のプログラムを記憶したコンピュータにより読み出し可能な記憶媒体であって、前記使用環境制御方法は、前記ネットワーク接続されている前記画像形成装置とは異なる他の画像形成装置を選択可能にし、且つ、選択された前記他の画像形成装置の表示モードを前記画像形成装置が具備する記憶手段に記憶させ、前記記憶手段から読み出した表示モードに基づいた表示を操作手段により実行可能にし、且つ、前記ネットワーク接続されている前記画像形成装置とは異なる他の画像形成装置を選択するにあたり、選択対象となる他の画像形成装置の検索用のネットワークアドレスの範囲を指定可能にし、且つ、通信が確立した他の画像形成装置が複数存在する場合に装置名称及び装置種類の少なくとも何れかの属性情報に応じて他の画像形成装置を選択可能にする、ことを特徴とする。
【００４０】
上記目的を達成するため、請求項３３の発明は、前記使用環境制御方法は、前記操作手段の操作に基づき前記記憶手段に記憶されている表示モードを変更可能にする、ことを特徴とする。
【００４３】
【発明の実施の形態】
以下、本発明の実施の形態を図面に基づいて説明する。
【００４４】
図１は本発明の実施の形態に係る画像形成装置の構成を示すブロック図である。本発明の実施の形態に係る画像形成装置は、ネットワーク１４上に接続されており、リーダ部１と、プリンタ部２と、画像入出力制御部３とを備える構成となっている。画像形成装置が接続されたネットワーク１４上には、例えばパーソナルコンピュータ又はワークステーション（ＰＣ／ＷＳ）１１、ネットワークサーバ１２、デジタル複写機１３が接続されている。図中１５は電話回線を示す。尚、図１に示す構成は一例を示したものであり、図示の構成に限定されるものではない。
【００４５】
上記各部の構成を詳述すると、リーダ部１は、原稿の画像を読み取り、原稿画像に応じた画像データをプリンタ部２及び画像入出力制御部３へ出力する。プリンタ部２は、リーダ部１及び画像入出力制御部３からの画像データに応じた画像を記録紙上に記録する。画像入出力制御部３は、リーダ部１に接続されており、ファクシミリ部４、ファイル部５、光磁気ディスク・ドライブユニット６、ネットワーク・インタフェース部７、ＬＩＰＳ（ＬＢＰ Ｉｍａｇｅ Ｐｒｏｃｅｓｓｉｎｇ Ｓｙｓｔｅｍ：レーザビームプリンタで画像等のイメージ処理及びプリンタ内蔵フォントの制御等を行うためにキヤノン社で開発したページ記述言語）フォーマッタ部８、ＰＳ（Ｐｏｓｔ Ｓｃｒｉｐｔ：米国アドビ社が開発したページ記述言語）フォーマッタ部９、コア部１０等から構成されている。
【００４６】
ファクシミリ部４は、電話回線１５を介して受信した圧縮画像データを伸長して、伸長した画像データをコア部１０へ転送し、また、コア部１０から転送された画像データを圧縮して、圧縮した圧縮画像データを電話回線１５を介して送信する。ファイル部５には、光磁気ディスク・ドライブユニット６が接続されており、ファイル部５はコア部１０から転送された画像データを圧縮し、その画像データを検索するキーワードと共に光磁気ディスク・ドライブユニット６にセットされた光磁気ディスクに記憶させる。また、ファイル部５は、コア部１０を介して転送されたキーワードに基づいて光磁気ディスクに記憶されている圧縮画像データを検索し、検索した圧縮画像データを読み出して伸長し、伸長した画像データをコア部１０へ転送する。
【００４７】
ネットワーク・インタフェース部７は、パーソナルコンピュータ又はワークステーション（ＰＣ／ＷＳ）１１とコア部１０の間のインタフェースを司る。また、同様にネットワーク接続されている他のデジタル複写機１３とコア部１０の間のインタフェースにもなっている。本発明の実施の形態に係る、他のデジタル複写機１３に登録されている「ユーザモード」、「モードメモリ」、「お好みキー」の各設定状態のデータの受信を行う場合、このネットワーク・インタフェース部７を介して行う。ＬＩＰＳフォーマッタ部８、ＰＳフォーマッタ部９は、ＰＣ／ＷＳ１１から転送されたＰＤＬ（Ｐａｇｅ Ｄｅｓｃｒｉｐｔｉｏｎ Ｌａｎｇｕａｇｅ：ページ記述言語）データをプリンタ部２で記録できる画像データに展開するものである。
【００４８】
コア部１０については後述するが、コア部１０はリーダ部１、ファクシミリ部４、ファイル部５、ネットワーク・インタフェース部７、ＬＩＰＳフォーマッタ部８、ＰＳフォーマッタ部９のそれぞれの間のデータの流れを制御するものである。ネットワークサーバ１２は、ネットワーク制御の中枢である。
【００４９】
図２は本発明の実施の形態に係る画像形成装置の内部構造の一例を示す説明図である。本発明の実施の形態に係る画像形成装置は、本体１００の各部に、プラテンガラス１０１、スキャナ１０２、原稿照明ランプ１０３、走査ミラー１０４〜１０６、露光制御部１０７、レンズ１０８、ＣＣＤ（Ｃｈａｒｇｅ Ｃｏｕｐｌｅｄ Ｄｅｖｉｃｅ）センサ１０９、感光体ドラム１１０、１次帯電器１１２、前露光ランプ１１４、クリーニング装置１１６、転写帯電器１１８、現像器１２１、画像形成部１２６、転写ベルト１３０、上段カセット１３１、下段カセット１３２、ピックアップローラ１３３、１３４、給紙ローラ１３５、１３６、レジストローラ１３７、吸着帯電器１３８、転写ベルトローラ１３８Ｂ、定着前帯電器１３９、１４０、定着器１４１、排出ローラ１４２、デッキ１５０、リフタ１５１、給紙ローラ１５２、マルチ手差し１５３、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３、操作部５００を備える構成となっている。
【００５０】
上記各部の構成を動作と共に詳述すると、プラテンガラス１０１は、原稿載置台として使用される。スキャナ１０２は、原稿照明ランプ１０３、走査ミラー１０４等で構成されており、不図示のモータにより所定方向に往復走査され、原稿の反射光を走査ミラー１０４〜１０６及びレンズ１０８を介してＣＣＤセンサ（イメージセンサ部）１０９に結像する。露光制御部１０７は、レーザ、ポリゴンスキャナ等で構成されており、イメージセンサ部１０９で電気信号に変換され後述する所定の画像処理が行われた画像信号に基づいて変調されたレーザ光１２９を感光体ドラム１１０に照射する。
【００５１】
感光体ドラム１１０の回りには、１次帯電器１１２、現像器１２１、転写帯電器１１８、クリーニング装置１１６、前露光ランプ１１４が装備されている。画像形成部１２６において、感光体ドラム１１０は不図示のモータにより図中矢印方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。
【００５２】
一方、上段カセット１３１或いは下段カセット１３２からピックアップローラ１３３、１３４により給紙された転写紙は、給紙ローラ１３５、１３６により本体に送られ、レジストローラ１３７により転写ベルト１３０に給送され、可視化されたトナー像が転写帯電器１１８により転写紙に転写される。転写後の感光体ドラム１１０は、クリーニング装置１１６により残留トナーが清掃され、前露光ランプ１１４により残留電荷が消去される。１３８Ａは吸着帯電器で、レジストローラ１３７から送られた転写紙を転写ベルト１３０に吸着させる。１３８Ｂは転写ベルトローラで、転写ベルト１３０の回転に用いられると同時に、吸着帯電器１３８Ａと対になって、転写ベルト１３０に転写紙を吸着帯電させる。転写後の転写紙は、転写ベルト１３０から分離され、定着前帯電器１３９、１４０によりトナー像が再帯電され、定着器１４１に送られ加圧、加熱により定着され、排出ローラ１４２により本体１１０の外に排出される。
【００５３】
また、本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、本体１００には、例えば１００枚の転写紙を収納し得るマルチ手差し１５３が装備されている。
【００５４】
排紙フラッパ１５４は、両面記録側ないし多重記録側と排紙側の経路を切り替える。排出ローラ１４２から送り出された転写紙は、この排紙フラッパ１５４により両面記録側ないし多重記録側に切り替えられる。また、多重フラッパ１５７は、両面記録と多重記録の経路を切り替えるものであり、これを図中左方向に倒すことにより、転写紙を反転パス１５５に介さず、直接搬送パス１５８に導く。給紙ローラ１５９は、経路１６０を通じて転写紙を感光体ドラム１２６側に給紙する。排出ローラ１６１は、排紙フラッパ１５４の近傍に配置されて、この排紙フラッパ１５４により排出側に切り替えられた転写紙を機外に排出する。
【００５５】
両面記録（両面複写）時には、排紙フラッパ１５４を上方に上げて多重フラッパ１５７を右に倒し、複写済みの転写紙を搬送パス１５５で介した後、多重フラッパ１５７を左に倒し、搬送パス１５８を介して、裏返した状態で再給紙トレイ１５６に格納する。また、多重記録（多重複写）時には、排紙フラッパ１５４を上方に上げて多重フラッパ１５７を左に倒し、複写済みの転写紙を搬送パス１５８で介した後、再給紙トレイ１５６に格納する。再給紙トレイ１５６に格納されている転写紙が、下から１枚ずつ給紙ローラ１５９により経路１６０を介して本体１００のレジストローラ１３７に導かれる。
【００５６】
本体１００から転写紙を反転して排出（裏面排紙）する時には、排紙フラッパ１５４を上方へ上げて多重フラッパ１５７を右方向へ倒し、複写済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して機外へ排出する。操作部５００については図５以降で詳述する。
【００５７】
図３は本発明の実施の形態に係る画像形成装置のリーダ部１の構成を示すブロック図である。本発明の実施の形態に係る画像形成装置のリーダ部１は、ＣＣＤ２０９、Ａ／Ｄ・ＳＨ（アナログ／デジタル変換・シェーディング補正）部２１０、画像処理部２１１、インタフェース部２１３、ＣＰＵ２１４、メモリ２１６、操作部５００（図５参照）を備える構成となっている。
【００５８】
上記各部の構成を動作と共に詳述すると、ＣＰＵ２１４から出力された画像データは、Ａ／Ｄ・ＳＨ部２１０でアナログ／デジタル変換が行われると共に、シェーディング補正が行われる。Ａ／Ｄ・ＳＨ部２１０によって処理された画像データは、画像処理部２１１を介してプリンタ部２へ転送されると共に、インタフェース部２１３を介して画像入出力制御部３のコア部１０へ転送される。ＣＰＵ２１４は、操作部５００で設定された設定内容に応じて画像処理部２１１及びインタフェース部２１３を制御する。
【００５９】
ＣＰＵ２１４は、例えば、操作部５００でトリミング処理を行わせてプリンタ部２へ転送させる。また、ＣＰＵ２１４は、操作部５００でファクシミリ送信モードが設定されている場合は、インタフェース部２１３から画像データと設定されたモードに応じた制御コマンドをコア部１０へ転送させる。このようなＣＰＵ２１４の制御プログラムはメモリ２１６に記憶されており、ＣＰＵ２１４はメモリ２１６を参照しながら制御を行う。また、メモリ２１６はＣＰＵ２１４の作業領域としても使われる。更に、メモリ２１６は、本発明の実施の形態に係る「ユーザモード」、「モードメモリ」、「お好みキー」の各設定状態のデータを登録するためにも使用される。
【００６０】
図４は本発明の実施の形態に係る画像形成装置のコア部１０の構成を示すブロック図である。本発明の実施の形態に係る画像形成装置のコア部１０は、インタフェース部３２０、データ処理部３２１、インタフェース部３２２、ＣＰＵ３２３、メモリ３２４を備える構成となっている。
【００６１】
上記各部の構成を動作と共に詳述すると、リーダ部１からの画像データは、データ処理部３２１へ転送されると共に、リーダ部１からの制御コマンドは、ＣＰＵ３２３へ転送される。データ処理部３２１は、画像の回転処理や変倍処理などの画像処理を行うものであり、リーダ部１からデータ処理部３２１へ転送された画像データは、リーダ部１から転送された制御コマンドに応じて、インタフェース部３２０を介してファクシミリ部４、ファイル部５、ネットワーク・インタフェース部７へ転送される。
【００６２】
また、ネットワーク・インタフェース部７を介して入力された画像を表すコードデータは、データ処理部３２１へ転送され、そのＰＤＬがＬＩＰＳであるのか或いはポストスクリプトであるのかを判定し、しかるべきフォーマッタ部８ないし９へ転送されて画像データに展開され、この画像データはデータ処理部３２１へ転送された後、ファクシミリ部４やプリンタ部２へ転送される。ファクシミリ部４からの画像データは、データ処理部３２１へ転送された後、プリンタ部２やファイル部５、ネットワーク・インタフェース部７へ転送される。また、ファイル部５からの画像データは、データ処理部３２１へ転送された後、プリンタ部２やファクシミリ部４、ネットワーク・インタフェース部７へ転送される。
【００６３】
ＣＰＵ３２３は、メモリ３２４に記憶されている制御プログラム、及びリーダ部１から転送された制御コマンドに従って上記のような制御を行う。また、メモリ３２４はＣＰＵ３２３の作業領域としても使われる。ネットワーク・インタフェース部７には、ＭＩＢ（Ｍａｎａｇｅｍｅｎｔ Ｉｎｆｏｒｍａｔｉｏｎ Ｂａｓｅ：デバイスに関する各種情報を表現するオブジェクトの集合）と呼ばれるデータベースが構築されており、ＳＮＭＰ（Ｓｉｍｐｌｅ Ｎｅｔｗｏｒｋ Ｍａｎａｇｅｍｅｎｔ Ｐｒｏｔｏｃｏｌ：ネットワークの運用を行うために各種機器を管理するプロトコルでＴＣＰ／ＩＰプロトコルに含まれる）プロトコルを介してネットワーク上のコンピュータと通信し、プリンタの管理が可能となっている。
【００６４】
ここで、本発明の実施の形態に係る「ユーザモード」、「モードメモリ」、「お好みキー」について説明する。ネットワーク上の他のデジタル複写機に登録されている「ユーザモード」、「モードメモリ」、「お好みキー」の各設定状態のデータを受信する場合、例えば、ＴＣＰ／ＩＰプロトコル（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ：国際標準プロトコル）で他のデジタル複写機と通信し、他のデジタル複写機の機種名や種類の情報を受け取り、それに基づいて、他のデジタル複写機に登録されている「ユーザモード」、「モードメモリ」、「お好みキー」の各設定状態のデータを受信し、自分の画像形成装置（デジタル複写機）の「ユーザモード」、「モードメモリ」、「お好みキー」の各設定状態のデータとして、リーダ部１のメモリ２１６に登録する。
【００６５】
上記のように、本発明の実施の形態に係る画像形成装置では、コア部１０を中心に、原稿画像の読み取り、画像のプリント、画像の送受信、画像の保存、コンピュータからのデータの入出力などの機能を複合させた処理を行うことが可能である。
【００６６】
図５は本発明の実施の形態に係る画像形成装置の操作部５００の液晶表示パネルに表示される基本画面を示す説明図である。この画面はタッチパネルとなっており、それぞれ表示される機能の枠内を触れることにより、その機能が実行される。拡張機能キー５０１は、このキーを押下することによって、ページ連写、両面複写、多重複写、移動、とじ代の設定、枠消し等の設定モードに入る。画像モードキー５０２は、このキーを押下すると、複写画像に対して網掛け、影付け、トリミング、マスキングを行うための設定モードに入る。ユーザモードキー５０３は、ユーザ使用環境の設定、例えば、ブザーＯＮ／ＯＦＦの設定、カセットオート選択のＯＮ／ＯＦＦの設定、自動濃度調整方式の設定等が行える。
【００６７】
尚、本発明の実施の形態では、複写機の新規設置時に、ユーザが従来のようにこれらのユーザモードの設定を操作部から行う必要はなく、他の複写機に予め設定されているユーザモードの内容をネットワークを通じて受信し、自動的に自分の複写機のユーザモードとして設定できる。勿論、この自動設定後、ユーザが後からユーザモードキー５０３を押してユーザモードの設定内容を変更することは可能である。
【００６８】
応用ズームキー５０４は、このキーを押下すると、原稿のＸ方向、Ｙ方向を独立に変倍するモード、原稿サイズと複写サイズから変倍率を計算するズームプログラムのモードに入る。ＭＩキー５０５、Ｍ２キー５０６、Ｍ３キー５０７は、それぞれに登録されたモードメモリを呼び出す際に押下するキーである。登録キー５０８は、それぞれのモードメモリに、現在のコピーモードを登録する場合に押下するキーである。
【００６９】
尚、本発明の実施の形態では、複写機の新規設置時に、ユーザがよく使用するコピーモードを従来のようにモードメモリとして新たに操作部から行う必要はなく、他の複写機に予め設定されているモードメモリの内容をネットワークを通じて受信し、自動的に自分の複写機のモードメモリとして設定し、そのモードメモリの呼び出しができる。勿論、この自動設定後、ユーザが後から登録キー５０８を押してモードメモリの設定内容を変更することは可能である。
【００７０】
オプションキー５０９は、フィルムから直接複写するためのフィルムプロジェクタ等のオプション機能の設定を行うキーである。更に、お好みキーの設定を行う場合にも押下する。
【００７１】
尚、本発明の実施の形態では、複写機の新規設置時に、ユーザが従来のようにお好みキーの設定を操作部から行う必要はなく、他の複写機に予め設定されているお好みキーの内容をネットワークを通じて受信し、自動的に自分の複写機のお好みキーとして設定できる。勿論、この自動設定後、ユーザが後からオプションキー５０９を押した後、お好みキーの設定内容を変更することは可能である。
【００７２】
ソータキー５１０は、メカソータを使用するか電子ソータを使用するかの設定、ソータのソート、グループ等のモード設定を行うキーである。原稿混載キー５１１は、原稿フィーダにＡ４サイズとＡ３サイズ、またはＢ５サイズとＢ４サイズの原稿を一緒にセットする際に押下するキーである。等倍キー５１２は、複写倍率を１００％にする際に押下するキーである。縮小キー５１４、拡大キー５１５は、定型の縮小、拡大を行う際に押下するキーである。ズームキー５１６は、倍率を例えば２５〜８００％の間で設定するためのキーである。用紙選択キー５１３は、複写用紙の選択を行う際に押下するキーである。
【００７３】
濃度キー５１８、５２０は、キー５１８を押下する毎に濃く複写され、キー５２０を押下する毎に薄く複写される。濃度表示５１７は、濃度キー５１８、５２０を押下すると表示が左右に変化する。ＡＥキー５１９は、新聞のように地肌の濃い原稿を自動濃度調整複写するときに押下するキーである。ＨｉＦｉキー５２１は、写真原稿のように中間調の濃度が多い原稿の複写の際に押下するキーである。文字強調キー５２２は、文字原稿の複写で文字を際立たせたい場合に押下するキーである。
【００７４】
ガイドキー５２３は、あるキーの機能が分からないとき押下するキーであり、そのキーの説明が表示される。コピーキー５２４は、複写動作を行う場合に押下するキーであり、このキーが押下されたときに図５に示す基本画面を表示する。ファクスキー５２５は、ファクスを行うときに押下するキーである。ファイルキー５２６は、ファイルデータを出力したいときに押下するキーである。プリンタキー５２７は、プリントの濃度を変更したり、リモートのホストからのＰＤＬ画像のプリント出力結果を参照したい場合に押下するキーである。
【００７５】
図６は本発明の実施の形態に係る画像形成装置の操作部５００のユーザモード画面を示す説明図である。ユーザモード画面は上記図５のユーザモードキー５０３を押下することにより表示されるものである。６０１はユーザモード画面であり、ユーザが使用する、全般的な環境を設定する画面である。例えば、自動濃度調整方式、ブザーのＯＮ／ＯＦＦ、カセットオート選択のＯＮ／ＯＦＦ、裏面排紙のＯＮ／ＯＦＦ、コピー／ファクス／プリンタのプリント優先順位等の設定を行う。６０２は自動濃度調整方式設定キーであり、このキーを押下することにより、自動濃度調整（ＡＥ）方式として、画質を高めるために原稿全体に対してプリスキャンを行い原稿全体の濃度を検出するＡＥを行うか、または、スピードを優先するためにプリスキャンを行わずハードウエア回路によりスキャンしながら原稿の一部の濃度を検出しつつＡＥを行うかの、選択画面に移行する。
【００７６】
６０３はブザー設定キーであり、このキーを押下することにより、操作部５００のキーを押下したときのタッチ音を鳴らすか、ジャム等のエラーが生じたときにブザーを鳴らすか、コピージョブ等のジョブが終了したときにブザーを鳴らすかの設定画面に移行する。図６では、このキーが押下され、キーが反転していることを示している。６０４はカセットオート選択設定キーであり、これを押下することで、カセット毎にカセットのオート選択（原稿サイズと倍率に応じて最適な用紙カセットを選んだり、プリント中に用紙カセットの用紙が無くなったら同じサイズの他の用紙カセットから自動的に給紙する）をするかしないかの設定画面６２０に移行する。
【００７７】
６０５、６０６は上スクロールキー、下スクロールキーであり、これらを押下することにより、上下に画面をスクロールさせることができ、画面に表示されていない他のユーザモードの設定項目、例えば裏面排紙のＯＮ／ＯＦＦ、コピー／ファクス／プリンタのプリントの優先順位の設定等の設定項目を表示する。６０７は閉じるキーであり、ユーザモードの設定を終える場合に押下する。このキーを押下した場合、図５の基本画面に戻る。６０８はファクス状況キーであり、このキーを押下することにより、ファクスの受信状況、送信状況、エラー発生の状況等を表示する画面に移行する。
【００７８】
図７は本発明の実施の形態に係る画像形成装置の操作部５００のカセットオート選択の設定画面を示す説明図である。図６においてキー６０４を押下したときに移行する。６０１はカセットオート選択の設定画面であり、カセット毎にカセットのオート選択（原稿サイズと倍率に応じて最適な用紙カセットを選んだり、プリント中に用紙カセットの用紙が無くなったら同じサイズの他の用紙カセットから自動的に給紙する）をするかしないかの設定を行う画面である。６２１は手差し設定欄であり、手差しをカセットオートの選択の対象にするかのＯＮキー、対象にしないかのＯＦＦキーを押下し、それぞれの状態に設定する。押下したキーは反転するので、図７の場合、ＯＦＦの状態となっている。同様に、６２２、６２３、６２４、６２５、６２６、６２７は、それぞれ第１、第２、第３、第４、第５、第６カセット設定欄であり、それぞれカセットオートの選択の対象にするかのＯＮキー、対象にしないかのＯＦＦキーを押下し、押下したキーを反転させ、その状態にセットする。また、それぞれのカセットに対しセットされた紙サイズも表示している。
【００７９】
図７の場合、第１、第２、第３、第４、第５、第６カセットの紙サイズは、それぞれＡ４、Ｂ５Ｒ、Ａ４Ｒ、Ｂ５、Ｂ４、Ａ３であり、それぞれ全てのＯＮキーが反転しているので、第１〜第６カセットは全てカセットオート選択の対象となっている。６２８はＯＫキーであり、各設定欄で押下したＯＮ、ＯＦＦキーの状態での設定を確定する場合に押下する。押下した後は、図６の６０１の画面に戻る。６２９は取り消しキーであり、各設定欄で押下したＯＮ、ＯＦＦキーの状態での設定を中止する場合に押下する。押下した後は、図７で押下したＯＮ、ＯＦＦキーの状態は無効となり、前に設定された状態に戻って、図６の画面に戻る。
【００８０】
尚、本発明の実施の形態では、複写機の新規設置時に、図６、図７で示したようにしてユーザが操作部を用いてユーザモードの各項目を設定する必要がなく、他の複写機とネットワーク通信し、他の複写機に予め設定されているユーザモードを受信し、自分の複写機のユーザモードとして自動的に設定される。勿論、この後で、図６、図７で示したような操作方法で自動的に設定された内容を確認、或いは変更することは可能である。
【００８１】
図８は本発明の実施の形態に係る画像形成装置における現在のコピーの設定状態をモードメモリに登録しようとしている、操作部５００の表示画面を示す説明図である。６３０はモードメモリ登録画面であり、図５の基本画面において、現在のコピーの設定状態をＭ１〜Ｍ３の何れかのメモリに登録する際に、登録キー５０８を押下したときに表示する。この場合、基本画面において、倍率１００％、オート用紙選択、置数１枚、濃度５と設定し、拡張機能キー５０１を押下することによって、不図示の拡張機能の画面において、ページ連写で、左開き本であり、綴じ代は左綴じとして設定し、基本画面に戻った後、登録キー５０８を押下したときの様子を示すものである。モードメモリＭ１〜Ｍ３において、モードメモリＭ２に空きがあったため、このコピーの設定内容はモードメモリＭ２として新規に登録されようとしている。その後は、基本画面において、Ｍ２キーを押下するだけでコピーモードの設定が自動的に倍率１００％、オート用紙選択、置数１枚、濃度５で、拡張機能としてページ連写で、左開き本であり、綴じ代は左綴じとして設定される。
【００８２】
６３１、６３２は上スクロールキー、下スクロールキーであり、それぞれを押下することで、登録しようとしているコピーモードの項目、例えばページ連写等の項目で、この画面枠に左しきれていない項目をスクロールして表示させるときに用いる。６３３は確定キーであり、現在表示されているコピーモードの設定、例えば本例の場合、倍率１００％、オート用紙選択、置数１枚、濃度５で、拡張機能としてページ連写で、左開き本であり、綴じ代は左綴じという状態をＭ２のモードメモリとして登録を確定するときに押下される。６３４はキャンセルキーであり、これを押下することにより、現在表示されているコピーモードの設定はキャンセルされ、図５の基本画面に戻る。
【００８３】
尚、本発明の実施の形態では、複写機の新規設置時に、図８で示したようにしてユーザが操作部を用いてモードメモリの登録作業を行う必要がなく、他の複写機とネットワーク通信し、他の複写機に予め設定されているモードメモリ（例えばＭ１〜Ｍ３）を受信し、自分の複写機のモードメモリとして自動的に設定される。勿論、この後で、図５、図８で示したような操作方法で自動的に設定されたモードメモリの内容を確認、或いは変更することは可能である。
【００８４】
図９は本発明の実施の形態に係る画像形成装置の操作部５００のお好みキーの設定画面を示す説明図である。６８０はお好みキーの設定画面であり、図５の基本画面において、オプションキー５０９を押下した後、不図示のオプションメニュー画面のお好みキー設定キーを押下したときに表示される画面である。お好みキー設定画面６８０は、基本画面に置くキーを設定する。
【００８５】
例えば、ページ連写を行いたい場合、通常は拡張機能キー５０１を押下した後、拡張機能画面の中のページ連写キーを押下してページ連写の設定を行わなければならないが、よく使うキーであれば、いちいち拡張機能キー５０１を押下した後選ぶのは煩わしい。また、よく使うキーが、メニュー画面を次々に開いていかなければ表示されないほど煩わしさが増す。そのため、例えばページ連写をよく行うのであれば、基本画面にページ連写のキーを置くように設定し、その後、ページ連写を行う際、通常表示されている基本画面からすぐにキーを押下できるので大変便利となる。図９においては、このお好みキーとして、ページ連写を設定しようとしている画面となる。
【００８６】
６８１はキー一覧であり、お好みキーとして設定するコピーモードキーの一覧を表示している。お好みキーとして登録したいコピーモードの部分をタッチし、反転させて選択させる。６８２、６８３は上スクロールキー、下スクロールキーであり、それぞれコピーモードキー一覧６８１を上、下スクロールさせる場合に押下する。６８４はＯＫキーであり、キー一覧６８１において反転させたコピーモードキーをお好みキーとして基本画面に置くよう確定する場合に押下する。６８５はキャンセルキーであり、キー一覧６８１において反転させたコピーモードキーをお好みキーとして設定するのを中止する場合に押下する。６８４、６８５を押下した場合は、不図示のオプションメニュー画面に戻る。
【００８７】
図１０は本発明の実施の形態に係る画像形成装置の操作部５００のお好みキー設定画面を示す上記図９においてＯＫキーを押下し、ページ連写をお好みキーとして設定した後の基本画面の様子を示す説明図である。５５０はお好みキーであり、ページ連写キーがお好みキーとして設定され、これを押下することにより、ページ連写の設定画面にすぐ移行することができる。
【００８８】
尚、本発明の実施の形態では、複写機の新規設置時に、図９で示したようにしてユーザが操作部を用いてお好みキーの設定作業行う必要がなく、他の複写機とネットワーク通信し、他の複写機に予め設定されているお好みキーを受信し、自分の複写機のお好みキーとして自動的に設定される。勿論、この後で、図９で示したような操作方法で自動的に設定されたお好みキーの内容を確認、或いは変更することは可能である。
【００８９】
図１１は本発明の実施の形態に係る画像形成装置でネットワークを通じて他の画像形成装置を選択する選択手段を実行するための操作部５００の画面を示す説明図である。上記で説明した「ユーザモード」、「モードメモリ」、「お好みキー」の設定データを他の画像形成装置から受信し、自分の画像形成装置のリーダ部１のメモリ２１６に登録するための他の画像形成装置を指定する。不図示の管理者キーを押下した後、不図示のテンキーにより管理者用パスワードを入力し、予め画像形成装置のリーダ部１のメモリ２１６に登録されている管理者用パスワードと一致した場合、不図示の管理者画面を表示し、そこで「設定データ取得キー」を押下したら、図１１の画面に移行する。
【００９０】
６４０はアドレス指定キーであり、これを押下してキーを反転させながら不図示のテンキーにより、「ユーザモード」、「モードメモリ」、「お好みキー」の設定データを取得する、他の画像形成装置のネットワーク装置のＩＰアドレスを入力する。例えば、「ユーザモード」、「モードメモリ」、「お好みキー」が予め登録されているネットワーク上の他の画像形成装置のＩＰアドレスが、１５０．６１．６５．９の場合、その数値を入力し、ＯＫキー６４５を押下して、他の画像形成装置とＴＣＰ／ＩＰプロトコルで通信を開始する。そのとき、先ず相手が画像形成装置かを問い掛けるコマンドをそのＩＰアドレスに対して送信し、相手が画像形成装置であれば、相手の画像形成装置は自分の名称、機種名等の属性情報をレスポンスとして返すので、それらの情報を受信する。
【００９１】
６４１はサーチ範囲指定キーであり、これを押下してキーを反転させてから、不図示のテンキーにより、「ユーザモード」、「モードメモリ」、「お好みキー」の設定データを取得する、ネットワーク上の他の画像形成装置を探すためのＩＰアドレスの範囲を指定する。これは、他の画像形成装置のＩＰアドレスが直接分からなかった場合、或いはＩＰアドレスの範囲内で複数の画像形成装置があった場合に、ユーザがそれらの中から「ユーザモード」、「モードメモリ」、「お好みキー」の設定データを取得する画像形成装置を選択したい場合に有効となる。６４３はサーチ範囲始点アドレスであり、「ユーザモード」、「モードメモリ」、「お好みキー」の設定データを取得する他の画像形成装置を、ネットワーク上で探し始めるＩＰアドレスの始点を指定する。６４４はサーチ範囲終点アドレスであり、サーチ範囲始点アドレス６４３で指定した始点ＩＰアドレスから探し始めて、サーチ範囲終点アドレス６４４で指定した終点ＩＰアドレスまで、ネットワーク上の他の画像形成装置を探す。
【００９２】
例えば、「ユーザモード」、「モードメモリ」、「お好みキー」の設定データが予め登録されている、ネットワーク上の他の画像形成装置のＩＰアドレスのサーチの始点が、１５０．６１．６５．０００、終点が１５０．６１．６５．２５５の場合、それらの数値をテンキーで入力し、ＯＫキー６４５を押下して、先ず１５０．６１．６５．０００のＩＰアドレスでＴＣＰ／ＩＰプロトコルにより、相手が画像形成装置かを問い掛けるコマンドで通信する。相手からレスポンスがあった場合や、ある一定時間レスポンスがなかったら、同様に１５０．６１．６５．００１、１５０．６１．６５．００２と進め、１５０．６１．６５．２５５の終点までサーチする。これらのＩＰアドレスそれぞれに対し、相手が画像形成装置であれば、相手の画像形成装置は、自分の名称、機種名等の属性情報をレスポンスとして返すので、それらの情報を受信する。
【００９３】
６４６は取り消しキーであり、「ユーザモード」、「モードメモリ」、「お好みキー」の設定データの取得を中止する場合に押下する。
【００９４】
図１２は本発明の実施の形態に係る画像形成装置における取得先一覧表示を示す操作部５００の画面を示す説明図である。上記図１１においてＯＫキー６４５を押下した後、ＴＣＰ／ＩＰプロトコルにより通信相手先が画像形成装置であり、その機器の名称、機種名等の属性情報をレスポンスとして返してきた結果を示すものである。６５０は名称表示欄であり、上記図１１においてアドレス指定してＴＣＰ／ＩＰ通信し、もしくはアドレスのサーチ範囲を指定して得られた相手の画像形成装置のＲＡＭにユーザにより登録されている名称を表示している。例えば図１２の場合、サーチ範囲を指定してサーチした結果、営業１課ＧＰ、営業２課ＧＰ、管理課ＣＬＣと名づけられた複写機３台と通信が行えたことを示している。
【００９５】
６５１は機種名表示欄であり、それぞれの相手の画像形成装置のＲＯＭに登録されている機種の商品名を表示している。図１２の場合、営業１課ＧＰはＧＰ２１５という機種、営業２課ＧＰはＧＰ３０という機種、管理課ＣＬＣはＣＬＣ３００という複写機の機種名であることを示している。６５４は下スクロールキーであり、名称と機種名の一覧の次の画面を表示するために押下する。６５５は上スクロールキーであり、名称と機種名の一覧の前の画面を表示するために押下する。６５３は取り消しキーであり、表示されている機器一覧からは「ユーザモード」、「モードメモリ」、「お好みキー」を取得するのをやめたい場合に押下する。これを押下した場合は、図１１の画面に戻る。
【００９６】
６５２はＯＫキーであり、取得する機器をタッチして指定した後、例えば図１２の場合、営業１課のＧＰという画像形成装置から「ユーザモード」、「モードメモリ」、「お好みキー」を取得したい場合は、その機器を表示している行をタッチして反転させ、ＯＫキー６５２を押下することにより、他の営業１課ＧＰという画像形成装置から「ユーザモード」、「モードメモリ」、「お好みキー」の設定状態のデータを、同様にＴＣＰ／ＩＰプロトコルで受信し、ネットワーク・インタフェース部７、コア部１０を介して、リーダ部１のメモリ２１６の「ユーザモード」、「モードメモリ」、「お好みキー」の登録エリアに格納する。
【００９７】
これにより、自分の画像形成装置の設置時に、「ユーザモード」、「モードメモリ」、「お好みキー」が全く設定されていない状態でも、この制御により、他の営業１課ＧＰという画像形成装置に登録されている「ユーザモード」、「モードメモリ」、「お好みキー」をコピーして受け取り、登録することができる。即ち、図６〜図１０において説明したような、画像形成装置の操作部５００で手動により「ユーザモード」、「モードメモリ」、「お好みキー」の設定のために入力する作業が全く省略できることになる。
【００９８】
また、例えば、自分の機器の機種がＧＰ２１５であり、サーチした結果、相手の機器が同じ機種であるＧＰ２１５の場合、図１２の画面を表示せずに図１１の画面でＯＫキーを押下した後、自動的に「ユーザモード」、「モードメモリ」、「お好みキー」の設定データを受け取り、登録することができてもよい。或いは、例えば、ＧＰ２１５、ＧＰ３０はデジタル白黒複写機、ＣＬＣ３００はカラー複写機であり、自分の機種がＧＰ２１５で、ネットワーク上でサーチした複写機がＧＰ３０とＣＬＣ３００であったら、機種のシリーズが同じであるＧＰ３０を自動的に選び、図１２の画面を表示せずに図１１の画面でＯＫキーを押下した後、自動的に「ユーザモード」、「モードメモリ」、「お好みキー」の設定データを受け取り、登録することができてもよい。例えば、同じシリーズかどうかは、機種名のアルファベット部分「ＧＰ」が同じであるという判断になる。
【００９９】
以上説明したように、本発明の実施の形態に係る画像形成装置によれば、データの表示、動作モード、表示モードの変更指示、ネットワーク接続されている他の画像形成装置の選択が可能な操作部５００と、動作モード、表示モードを記憶するリーダ部１のメモリ２１６と、外部機器とネットワーク通信を行い、選択した他の画像形成装置に記憶されている動作モードを受信するネットワーク・インタフェース部７と、ネットワーク接続されている他の画像形成装置の動作モードをメモリ２１６に記憶しメモリ２１６から読み出した動作モードに基づき自己装置の動作を実行すると共に、操作部５００の操作に基づきメモリ２１６に記憶されている動作モードを変更し、また、ネットワーク接続されている他の画像形成装置の表示モードをメモリ２１６に記憶しメモリ２１６から読み出した表示モードに基づき操作部５００の表示を実行すると共に、操作部５００の操作に基づきメモリ２１６に記憶されている表示モードを変更するリーダ部１のＣＰＵ２１４とを有するため、下記のような作用及び効果を奏する。
【０１００】
上記構成において、画像形成装置の操作部５００から、ネットワーク接続されている他の画像形成装置を選択し、ネットワーク・インタフェース部７により、外部機器とネットワーク通信を行い、選択した他の画像形成装置に記憶されている動作モード、或いは表示モードを受信する。リーダ部１のＣＰＵ２１４は、ネットワーク接続されている他の画像形成装置の動作モードをメモリ２１６に記憶しメモリ２１６から読み出した動作モードに基づき自己装置の動作を実行し、操作部５００の操作に基づきメモリ２１６に記憶されている動作モードを変更する。同様に、リーダ部１のＣＰＵ２１４は、ネットワーク接続されている他の画像形成装置の表示モードをメモリ２１６に記憶しメモリ２１６から読み出した表示モードに基づき操作部５００の表示を実行し、操作部５００の操作に基づきメモリ２１６に記憶されている表示モードを変更する。
【０１０１】
即ち、画像形成装置（デジタル複写機）を新規に設置し、ネットワーク接続することにより、ネットワーク接続された他の画像形成装置（デジタル複写機）のユーザ環境の設定の状態、モードメモリの登録内容、お好みキーの内容を表すデータブロックを受け取り、新規の画像形成装置（デジタル複写機）のユーザ環境設定、モードメモリ登録、お好みキーとして自動的にメモリへセットすることで、他の画像形成装置（デジタル複写機）とそれぞれの設定内容が同様の状態で、新規の画像形成装置（デジタル複写機）を使い始めることができる。
【０１０２】
これにより、従来のようにユーザが画像形成装置（デジタル複写機）を新規に購入し、使い始めようとする場合、画像形成装置（デジタル複写機）の操作部から場合によっては数十項目に及ぶユーザ環境設定、モードメモリの登録、お好みキーの設定など、他の画像形成装置（デジタル複写機）の操作部で設定していた入力操作を、購入した画像形成装置（デジタル複写機）の台数分、再度行うといった煩わしさが解消でき、画像形成装置（デジタル複写機）の新規設置から実際に他の画像形成装置（ジタル複写機）と同様の使用環境とするまでの時間を大幅に短縮できるという効果がある。
また、他の画像形成装置の操作部で設定していた入力操作、具体的には、入力音や警告音等のブザー音のＯＮ／ＯＦＦの設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置の操作部で設定していた入力操作、具体的には、最適な用紙カセットの選択や同じサイズの用紙カセットから自動給紙を行うカセットオート選択のＯＮ／ＯＦＦの設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置の操作部で設定していた入力操作、具体的には、コピー機能、プリント機能、ファクシミリ機能等の各機能の動作優先順位の設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置の操作部で設定していた入力操作、具体的には、画像形成紙を反転して排出する裏面排紙のＯＮ／ＯＦＦの設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置の操作部で設定していた入力操作、具体的には、自動濃度調整の設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置の操作部で設定していた入力操作、具体的には、コピー枚数、倍率等の任意のコピーモードの組み合わせの設定などの入力操作を、購入した画像形成装置の台数分、再度行うといった煩わしさが解消でき、画像形成装置の新規設置から実際に他の画像形成装置と同様の使用環境とするまでの時間を大幅に短縮できる。
また、他の画像形成装置のアドレスが直接わからなかった場合やアドレスの範囲内で複数の画像形成装置があった場合に、ユーザがそれらの中から動作モードを取得する画像形成装置を選択したい場合に有効となる。
【０１０３】
尚、本発明は、複数の機器から構成されるシステムに適用しても、１つの機器からなる装置に適用してもよい。前述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１０４】
この場合、記憶媒体から読み出されたプログラムコード自体が前述した実施形態の機能を実現することになり、そのプログラムコードを記憶した記憶媒体は本発明を構成することになる。
【０１０５】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１０６】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【０１０７】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１０８】
【発明の効果】
以上説明したように、本発明によれば、他の画像形成装置のアドレスが直接わからなかった場合やアドレスの範囲内で複数の画像形成装置があった場合に、ユーザがそれらの中から動作モードを取得する画像形成装置を選択したい場合に有効となる。
【図面の簡単な説明】
【図１】本発明の実施の形態に係る画像形成装置の構成を示すブロック図である。
【図２】本発明の実施の形態に係る画像形成装置の内部構造の一例を示す説明図である。
【図３】本発明の実施の形態に係る画像形成装置のリーダ部の構成を示すブロック図である。
【図４】本発明の実施の形態に係る画像形成装置のコア部の構成を示すブロック図である。
【図５】本発明の実施の形態に係る画像形成装置の操作部の液晶表示パネルに表示される基本画面を示す説明図である。
【図６】本発明の実施の形態に係る画像形成装置の操作部の液晶表示パネルに表示されるユーザモード画面を示す説明図である。
【図７】本発明の実施の形態に係る画像形成装置の操作部の液晶表示パネルに表示されるカセットオート選択の設定画面を示す説明図である。
【図８】本発明の実施の形態に係る画像形成装置の操作部の液晶表示パネルに表示される現在のコピーの設定状態をモードメモリに登録しようとしている表示画面を示す説明図である。
【図９】本発明の実施の形態に係る画像形成装置の操作部の液晶表示パネルに表示されるお好みキーの設定画面を示す説明図である。
【図１０】本発明の実施の形態に係る画像形成装置の操作部の液晶表示パネルに表示されるお好みキー設定画面でＯＫキーを押下しページ連写をお好みキーとして設定した後の基本画面を示す説明図である。
【図１１】本発明の実施の形態に係る画像形成装置の操作部の液晶表示パネルに表示されるネットワークを通じて他の画像形成装置を選択する選択手段を実行するための画面を示す説明図である。
【図１２】本発明の実施の形態に係る画像形成装置の操作部の液晶表示パネルに表示される取得先一覧表示を表す画面を示す説明図である。
【符号の説明】
１  リーダ部
２  プリンタ部
３  画像入出力制御部
４  ファクシミリ部
５  ファイル部
７  ネットワーク・インタフェース部
１０  コア部
２１４  ＣＰＵ
２１６  メモリ
５００  操作部
【図１】
0003782580.tif 000002
【図２】
0003782580.tif 000003
【図３】
0003782580.tif 000004
【図４】
0003782580.tif 000005
【図５】
0003782580.tif 000006
【図６】
0003782580.tif 000007
【図７】
0003782580.tif 000008
【図８】
0003782580.tif 000009
【図９】
0003782580.tif 000010
【図１０】
0003782580.tif 000011
【図１１】
0003782580.tif 000012
【図１２】
0003782580.tif 000013